(57)【要約】【課題】冷却ファンから吐出された空気を冷却対象に導く所望の流路を形成できるとともに、収納筐体に対して画像投射装置を良好に固定できるプロジェクターを提供する。【解決手段】プロジェクター１は、冷却対象に空気を送風する冷却装置９を備える。冷却装置９は、空気を吸入して吐出する冷却ファン９３，９４と、冷却ファン９３，９４から吐出された空気を冷却対象に導く流路を有する送風ダクト９５とを備える。送風ダクト９５は、収納筐体１０に形成され、収納筐体１０外面から内部に向けて凹状に窪む第１ダクト７１と、収納筐体１０外面に取り付けられ、第１ダクト７１と組み合わされることで冷却ファン９３，９４から吐出された空気を冷却対象に導く流路を形成する第２ダクト９５Ａとを備える。【選択図】図７
2010250141.tif 000002
【特許請求の範囲】
【請求項１】
光源装置、前記光源装置から出射された光束を画像情報に応じて変調して画像を形成する光変調装置、及び前記画像を投射する投射光学装置を有する画像投射装置と、前記画像投射装置を収納する収納筐体とを備えたプロジェクターであって、
冷却対象に空気を送風する冷却装置を備え、
前記冷却装置は、
空気を吸入して吐出する冷却ファンと、
前記冷却ファンから吐出された空気を冷却対象に導く流路を有する送風ダクトとを備え、
前記送風ダクトは、
前記収納筐体に形成され、前記収納筐体外面から内部に向けて凹状に窪む第１ダクトと、
前記収納筐体外面に取り付けられ、前記第１ダクトと組み合わされることで前記流路を形成する第２ダクトとを備える
ことを特徴とするプロジェクター。
【請求項２】
請求項１に記載のプロジェクターにおいて、
前記流路は、
平面視で前記投射光学装置を挟む２つの位置のうち少なくともいずれか一方の位置から前記投射光学装置の投射方向とは反対側に延びるように形成されている
ことを特徴とするプロジェクター。
【請求項３】
請求項１または請求項２に記載のプロジェクターにおいて、
前記収納筐体には、
外面から内部に向けて凹状に窪み、前記冷却ファンを収納するファン収納部が形成され、
前記ファン収納部は、
前記第１ダクトに連通するように形成されている
ことを特徴とするプロジェクター。
【発明の詳細な説明】
【技術分野】
【０００１】
本発明は、プロジェクターに関する。
【背景技術】
【０００２】
従来、光源装置、光源装置から出射された光束を画像情報に応じて変調して画像を形成する光変調装置、及び画像を投射する投射光学装置を有する画像投射装置と、画像投射装置を収納する収納筐体とを備えたプロジェクターが知られている。
このようなプロジェクターでは、光変調装置等の各種光学部品（冷却対象）の冷却構造として、収納筐体に吸気口を形成し、該吸気口を介して収納筐体外部の空気を導入し、導入した空気を冷却対象に送風する冷却構造が多用される（例えば、特許文献１参照）。
【０００３】
特許文献１に記載の冷却構造は、吸気口を介して収納筐体（アッパーケース及び区画板で構成）外部の空気を吸入して吐出する一対の冷却ファンと、画像投射装置（光学ユニット）の下方側に位置し、一対の冷却ファンから吐出された空気を冷却対象に導く吐出側ダクトとを備える。
ここで、吐出側ダクトは、下方側が開口した容器状部材で構成され、収納筐体（区画板）に取り付けられることで開口部分が閉塞されてダクトとして機能する。
すなわち、特許文献１に記載の冷却構造では、収納筐体（区画板）と画像投射装置との隙間（吐出側ダクト）に空気を流通させた後、画像投射装置を構成する各種光学部品に空気を送風する構造が採用されている。
【先行技術文献】
【特許文献】
【０００４】
【特許文献１】特開２００８−２４２１０６号公報
【発明の概要】
【発明が解決しようとする課題】
【０００５】
ところで、特許文献１に記載のプロジェクターでは、収納筐体に対する画像投射装置の固定構造としては、例えば、以下の構造が考えられる。
第１の固定構造としては、収納筐体（区画板）内面に固定用ボス（以下、筐体側ボス）を形成し、筐体側ボスを利用してネジ等により画像投射装置を固定する。すなわち、収納筐体に画像投射装置を直接、固定する構造である。
第２の固定構造としては、収納筐体に取り付けられる吐出側ダクトの外面に固定用ボス（以下、ダクト側ボス）を形成し、ダクト側ボスを利用してネジ等により画像投射装置を固定する。すなわち、吐出側ダクトを介して収納筐体に画像投射装置を固定する構造である。
【０００６】
しかしながら、第１の固定構造を採用した場合には、収納筐体に筐体側ボスが立設されているため、冷却ファンから吐出された空気を冷却対象に導くための流路（吐出側ダクト）を形成するにあたって、筐体側ボスを避けるように形成する必要がある。すなわち、筐体側ボスにより、流路の設計が制限され、所望の流路を形成することが難しい、という問題がある。
一方、第２の固定構造を採用した場合には、筐体側ボスが省略されているため、所望の流路を形成することが可能となる。しかしながら、画像投射装置が吐出側ダクトに支持されることとなるため、画像投射装置にがたつきが生じやすく、収納筐体に対して画像投射装置を良好に固定することが難しい、という問題がある。
【０００７】
本発明の目的は、冷却ファンから吐出された空気を冷却対象に導く所望の流路を形成できるとともに、収納筐体に対して画像投射装置を良好に固定できるプロジェクターを提供することにある。
【課題を解決するための手段】
【０００８】
本発明のプロジェクターは、光源装置、前記光源装置から出射された光束を画像情報に応じて変調して画像を形成する光変調装置、及び前記画像を投射する投射光学装置を有する画像投射装置と、前記画像投射装置を収納する収納筐体とを備えたプロジェクターであって、冷却対象に空気を送風する冷却装置を備え、前記冷却装置は、空気を吸入して吐出する冷却ファンと、前記冷却ファンから吐出された空気を冷却対象に導く流路を有する送風ダクトとを備え、前記送風ダクトは、前記収納筐体に形成され、前記収納筐体外面から内部に向けて凹状に窪む第１ダクトと、前記収納筐体外面に取り付けられ、前記第１ダクトと組み合わされることで前記流路を形成する第２ダクトとを備えることを特徴とする。
【０００９】
本発明では、冷却装置を構成する送風ダクトは、収納筐体外面から内部に向けて凹状に窪む第１ダクトと、収納筐体外面に取り付けられ、第１ダクトとで冷却ファンから吐出された空気を冷却対象に導く流路を形成する第２ダクトとを備える。
このことにより、収納筐体に第１ダクトが一体形成されているため、第１ダクトの外面に画像投射装置を固定するための固定用ボスを形成した場合であっても、固定用ボスを収納筐体の内面に直接、形成した上記第１の固定構造と同様の効果を持たせることができる。したがって、第１ダクトの外面に上記固定用ボスを形成した場合であっても、第１ダクトにて画像投射装置を良好に支持でき、画像投射装置にがたつきが生じることを抑制して収納筐体に対して画像投射装置を良好に固定できる。
また、第１ダクトの外面に固定用ボスを形成することが可能となるため、固定用ボスにより、冷却ファンから吐出された空気を冷却対象に導く流路（送風ダクト）の設計が制限されることもなく、所望の流路を形成できる。
【００１０】
本発明のプロジェクターでは、前記流路は、平面視で前記投射光学装置を挟む２つの位置のうち少なくともいずれか一方の位置から前記投射光学装置の投射方向とは反対側に延びるように形成されていることが好ましい。
本発明では、流路は、上述したように形成されている。言い換えれば、送風ダクトは、平面視で投射光学装置を挟む２つの位置の少なくともいずれか一方の位置から投射方向とは反対側に延びるように形成されている。
このことにより、収納筐体内部において、デッドスペースになりやすい空間（平面視で投射光学装置の側方の空間）に冷却ファンを配設して収納筐体内部の空間を有効に活用しながら、冷却ファンから吐出された空気を送風ダクトにて良好に冷却対象に導くことができる。
【００１１】
ところで、収納筐体に対する画像投射装置の固定位置（固定用ボスが形成される位置）としては、画像投射装置自体の重量バランス等を考慮して、平面視で投射光学装置を挟む２つの位置の少なくともいずれか一方の位置が多用される。
本発明では、固定用ボスが形成されやすい位置に流路を形成した場合であっても、送風ダクトを上述した第１ダクト及び第２ダクトで構成することで、上述したように所望の流路を形成でき、かつ、収納筐体に対して画像投射装置を良好に固定できる。
以上のことから、収納筐体内部の空間を有効に活用しながら、上述した所望の流路を形成でき、かつ、収納筐体に対して画像投射装置を良好に固定できるという効果を好適に図れる。
【００１２】
本発明のプロジェクターでは、前記収納筐体には、外面から内部に向けて凹状に窪み、前記冷却ファンを収納するファン収納部が形成され、前記ファン収納部は、前記第１ダクトに連通するように形成されていることが好ましい。
本発明では、収納筐体には、第１ダクトに連通するファン収納部が形成されている。すなわち、冷却ファンから吐出された空気は、ファン収納部内部から送風ダクト内部に流通することとなる。このため、冷却ファンから吐出された空気の略全てを漏れることなく送風ダクト内部に流通させることができ、冷却対象の冷却効率を向上させることができる。
【図面の簡単な説明】
【００１３】
【図１】本実施形態におけるプロジェクターの概略構成を示す図。
【図２】本実施形態におけるプロジェクターの概略構成を示す図。
【図３】本実施形態における光学ユニットの構成を模式的に示す平面図。
【図４】本実施形態における中間筐体の構成を説明するための図。
【図５】本実施形態における中間筐体の構成を説明するための図。
【図６】本実施形態における中間筐体の構成を説明するための図。
【図７】本実施形態における中間筐体の構成を説明するための図。
【図８】本実施形態におけるフィルター装置、吸気ダクト、及び第１シロッコファンが一体化されたユニットの底面部側を背面側から見た斜視図。
【図９】本実施形態における第２ダクト部の天面部側を前面側から見た斜視図。
【図１０】本実施形態における送風ダクト内部での空気の流路を説明するための図。
【発明を実施するための形態】
【００１４】
以下、本発明の実施の一形態を図面に基づいて説明する。
〔プロジェクターの概略構成〕
図１及び図２は、プロジェクター１の概略構成を示す図である。具体的に、図１はプロジェクター１を前面側から見た斜視図であり、図２はプロジェクター１を前面側から見た分解斜視図である。
なお、以下では、説明の便宜上、後述する投射レンズ２１６（図１、図２）が配置される側を前面側とし、前面側の反対側を背面側とする。
プロジェクター１は、スクリーン（図示略）上に投影画像を形成する。このプロジェクター１は、図１または図２に示すように、プロジェクター本体２（図２）及び再生装置３（図２）が上下に区画された状態で筐体４内部に配設された構成を有している。
【００１５】
〔再生装置の構成〕
再生装置３は、図２に示すように、ディスクドライブ３１等を備え、筐体４に形成された挿入口６１を介して挿入されたＣＤ(Compact Disk)またはＤＶＤ(Digital Versatile Disk)等の光ディスクを再生するものである。
ディスクドライブ３１は、具体的な図示は省略したが、挿入口６１を介して挿入された光ディスクをオートローディング機構により所定位置に搬入し、スピンドルモーター等の駆動部により光ディスクを回転させる。そして、ディスクドライブ３１は、光ディスクに記録された再生データ（画像データ、音声データ）を読み取り、光ディスクの記録方式に応じてデコードし、プロジェクター本体２を構成する制御装置２３（図２）に出力する。
すなわち、制御装置２３は、再生装置３から出力された再生データに対して所定の処理を施し、画像データに基づく画像を光変調装置２１５Ｒ，２１５Ｇ，２１５Ｂ（図３参照）に形成させるとともに、音声データに基づく音声をスピーカー（図示略）から出力させることとなる。
そして、再生装置３は、筐体４における後述する下側外装筐体６に固定される。
【００１６】
〔プロジェクター本体の構成〕
プロジェクター本体２は、図２に示すように、画像を投射する画像投射装置としての光学ユニット２１の他、プロジェクター１内部を冷却する冷却装置９、各構成部材に電力を供給する電源ユニット２２、及び光学ユニット２１を構成する光変調装置２１５Ｒ，２１５Ｇ，２１５Ｂ等を制御する制御装置２３等で構成されている。
そして、プロジェクター本体２は、筐体４における後述する中間筐体７に固定される。
なお、各部材９，２１〜２３のうち、冷却装置９の構成については筐体４の詳細な構成を説明する際に同時に説明し、以下では、光学ユニット２１の構成を説明する。
【００１７】
〔光学ユニットの構成〕
図３は、光学ユニット２１の構成を模式的に示す平面図である。
光学ユニット２１は、制御装置２３による制御の下、画像情報（画像データ等）に応じて画像を形成して投射する。
この光学ユニット２１は、図３に示すように、光源ランプ２１１Ａ及びリフレクター２１１Ｂを有する光源装置２１１と、レンズアレイ２１２Ａ，２１２Ｂ、偏光変換素子２１２Ｃ、及び重畳レンズ２１２Ｄを有する照明光学装置２１２と、ダイクロイックミラー２１３Ａ，２１３Ｂ、及び反射ミラー２１３Ｃを有する色分離光学装置２１３と、入射側レンズ２１４Ａ、リレーレンズ２１４Ｃ、及び反射ミラー２１４Ｂ，２１４Ｄを有するリレー光学装置２１４と、液晶パネルで構成された３つの光変調装置２１５Ｒ，２１５Ｇ，２１５Ｂ（赤色光側の光変調装置を２１５Ｒ、緑色光側の光変調装置を２１５Ｇ、青色光側の光変調装置を２１５Ｂとする）、３つの入射側偏光板２１５Ｃ、３つの出射側偏光板２１５Ｄ、及び色合成光学装置としてのクロスダイクロイックプリズム２１５Ｅを有する光学装置２１５と、光学装置２１５にて形成された画像を投射する投射光学装置としての投射レンズ２１６と、各光学部品２１１〜２１５を収納するとともに投射レンズ２１６を支持する光学部品用筐体２１７とを備える。
そして、光学ユニット２１では、上述した構成により、光源装置２１１から出射され照明光学装置２１２を介した光束は、色分離光学装置２１３にてＲ，Ｇ，Ｂの３つの色光に分離される。また、分離された各色光は、各光変調装置２１５Ｒ，２１５Ｇ，２１５Ｂにて画像情報に応じてそれぞれ変調される。変調された各色光は、プリズム２１５Ｅにて合成されて画像となり、投射レンズ２１６にてスクリーンに投射される。
【００１８】
〔筐体の構成〕
筐体４は、図１または図２に示すように、上方側に位置する天面部４Ａ、下方側に位置する底面部４Ｂ、前面部４Ｃ、背面部４Ｄ、前面側から見て左右にそれぞれ位置する左側面部４Ｅ及び右側面部４Ｆを有し、略直方体形状を有する。
この筐体４は、図１または図２に示すように、互いに組み合わせることで略直方体形状を有しプロジェクター１の外装を構成する上側外装筐体５及び下側外装筐体６と、上側外装筐体５及び下側外装筐体６に挟持され、プロジェクター本体２及び再生装置３を上下に区画する中間筐体７（図２）とを備える。
【００１９】
上側外装筐体５において、前面部４Ｃには、図１または図２に示すように、プロジェクター本体２から投射された画像を通過させるための開口部５１が形成されている。
また、下側外装筐体６において、前面部４Ｃには、図１または図２に示すように、光ディスクを挿入するための挿入口６１が形成されている。
さらに、筐体４において、右側面部４Ｆには、図２に示すように、冷却装置９の駆動により、外部の空気を筐体４に導入するための吸気口４１が形成されている。
なお、具体的な図示は省略したが、吸気口４１は、上側外装筐体５及び下側外装筐体６の双方に跨るように形成され、上側外装筐体５及び下側外装筐体６を組み合わせることで平面視矩形形状を有する。
また、筐体４において、右側面部４Ｆには、複数のスリット８１が形成されたフィルターカバー８（図２）が着脱可能に取り付けられている。
このフィルターカバー８は、筐体４に取り付けられることで、右側面部４Ｆの一部を構成するとともに、冷却装置９を構成する後述するフィルター装置９１を保護する。
【００２０】
〔中間筐体の構成〕
図４ないし図７は、中間筐体７の構成を説明するための図である。具体的に、図４は冷却装置９を含む中間筐体７の天面部４Ａ側を背面側から見た斜視図であり、図５は図４に示す状態から冷却装置９の一部を分解した分解斜視図である。図６は冷却装置９を含む中間筐体７の底面部４Ｂ側を前面側から見た斜視図であり、図７は図６に示す状態から冷却装置９の一部を分解した分解斜視図である。
中間筐体７は、図４ないし図７に示すように、容器状に形成され、上側外装筐体５と組み合わせることでプロジェクター本体２を内部に収納する。
すなわち、上側外装筐体５及び中間筐体７は、本発明に係る収納筐体１０（図２）を構成する。
この中間筐体７において、右側面部４Ｆ側の側壁は、図４ないし図７に示すように、吸気口４１に対応した位置が切り欠かれ、冷却装置９を構成するフィルター装置９１が配設される。
また、中間筐体７において、底面には、図４ないし図７に示すように、冷却装置９の一部を構成する第１ダクト７１（図４、図５、図７）及びファン収納部７２（図５〜図７）が形成されている。
なお、第１ダクト７１及びファン収納部７２の詳細については、冷却装置９を説明する際に同時に説明する。
さらに、中間筐体７の底面において、前面側から見て投射レンズ２１６の左側方には、図５ないし図７に示すように、前後方向（前面側から背面側への方向）に延びる平面視矩形状の貫通孔７３が形成されている。
【００２１】
〔冷却装置の構成〕
冷却装置９は、図２に示すように、投射レンズ２１６に近接して設けられ、吸気口４１から導入した空気を冷却対象（光学装置２１５、偏光変換素子２１２Ｃ）に送風して冷却する。この冷却装置９は、図４ないし図７に示すように、フィルター装置９１と、吸気ダクト９２と、冷却ファンとしての第１シロッコファン９３及び第２シロッコファン９４（図６、図７）と、ファン収納部７２（図５〜図７）と、送風ダクト９５とを備える。
【００２２】
図８は、フィルター装置９１、吸気ダクト９２、及び第１シロッコファン９３が一体化されたユニットの底面部４Ｂ側を背面側から見た斜視図である。
フィルター装置９１は、複数のスリット８１及び吸気口４１を介して各シロッコファン９３，９４に向う空気に含まれる塵埃を捕捉する。このフィルター装置９１は、図８に示すように、エアフィルター９１１と、支持枠９１２とを備える。
エアフィルター９１１は、塵埃を捕捉する部分であり、本実施形態では、静電フィルターで構成されている。
より具体的に、エアフィルター９１１は、静電気を帯電させた高分子繊維をプリーツ加工することにより、表面積を拡大させて塵埃の捕集効率を向上させている。
【００２３】
支持枠９１２は、吸気口４１の形状に対応した矩形枠形状を有し、枠状内部にてエアフィルター９１１を支持する。
この支持枠９１２において、背面側には、図４ないし図８に示すように、筐体４外部に向けて突出する突出部９１２Ａが形成されている。
以上の構成により、筐体４を解体することなく、以下に示すように、フィルター装置９１を交換できる。
先ず、フィルターカバー８を筐体４から取り外し、突出部９１２Ａを把持して、フィルター装置９１を筐体４外部に引き出す。そして、吸気口４１を介して新たなフィルター装置９１を吸気ダクト９２に接続し、フィルターカバー８を再度、筐体４に取り付ける。
【００２４】
吸気ダクト９２は、投射レンズ２１６の下方側（底面部４Ｂ側）に配設され、下方側が開口した容器状部材であり（図８）、前面側から見て投射レンズ２１６の右側方から左側方にかけて投射レンズ２１６の外面に倣うように延出し、前面側から見た場合に略Ｕ字形状を有する。
そして、吸気ダクト９２は、中間筐体７の底面に取り付けられることで、下方側の開口部分が閉塞されてダクトとして機能する。
この吸気ダクト９２において、前面側から見て右側の端部（図８における左側の端部）は、図８に示すように、吸気口４１（フィルター装置９１）に対応して切り欠かれ、フィルター装置９１が接続される。
また、吸気ダクト９２において、前面側から見て左側の端部（図８における右側の端部）には、具体的な図示は省略したが、内部の空気を外部に排出するための流出孔が形成されている。
そして、吸気ダクト９２において、前面側から見て左側の端部には、図８に示すように、空気を吸入する吸入口（図示略）が前記流出孔に接続するように第１シロッコファン９３が取り付けられる。
【００２５】
以上説明した吸気ダクト９２は、図４または図５に示すように、第２シロッコファン９４が収納されるファン収納部７２を覆うように、中間筐体７の底面に取り付けられる。
また、吸気ダクト９２内部には、図８に示すように、天面から下方側に向けて立設され、吸気ダクト９２が中間筐体７の底面に取り付けられた状態で、ファン収納部７２の一部を囲む整流板９２１が形成されている。
【００２６】
第１シロッコファン９３は、ファン回転軸に沿って取り込んだ空気をファン回転接線方向に沿って吐出する、いわゆる、遠心力ファンで構成されている。そして、第１シロッコファン９３は、前面側から見て投射レンズ２１６の左側方において、一部が中間筐体７における貫通孔７３に嵌合し、ファン回転軸が水平方向に沿うように配設される。
具体的に、第１シロッコファン９３は、吸入口（図示略）が前面側から見て右側に向き、空気を吐出する吐出口９３Ａ（図５、図８）が背面側に向くように配設される。
【００２７】
第２シロッコファン９４は、第１シロッコファン９３と同様に遠心力ファンで構成され、ファン回転軸が鉛直方向に沿うようにファン収納部７２に収納される。
具体的に、第２シロッコファン９４は、吸入口（図示略）が天面部４Ａ側に向き、吐出口（図示略）が背面側に向くようにファン収納部７２に収納される。
【００２８】
ファン収納部７２は、図５ないし図７に示すように、中間筐体７の底面において、投射レンズ２１６の下方側に設けられ、第２シロッコファン９４の外形形状に対応して天面部４Ａ側に凹状に窪むように形成されたものである。すなわち、ファン収納部７２は、収納筐体１０外面から内部に向けて凹状に窪むように形成されたものである。
このファン収納部７２において、凹状に窪んだ底部分には、図５に示すように、内外を連通する連通孔７２１が形成されている。
【００２９】
送風ダクト９５は、各シロッコファン９３，９４から吐出された空気を冷却対象の配設位置まで導き、冷却対象に送風する部分である。この送風ダクト９５は、図４ないし図７に示すように、第１ダクト７１（図４、図５、図７）と、第２ダクト９５Ａ（図６、図７）とを備える。
第１ダクト７１は、図４、図５または図７に示すように、中間筐体７の底面において、天面部４Ａ側に凹状に窪むように形成されたものである。すなわち、第１ダクト７１は、収納筐体１０外面から内部に向けて凹状に窪むように形成されたものである。
この第１ダクト７１は、緑側第１ダクト部７１１と、ＰＢＳ側第１ダクト部７１２と、赤青側第１ダクト部７１３と、を備える。
緑側第１ダクト部７１１は、中間筐体７における第１シロッコファン９３の吐出口９３Ａが位置付けられる位置から、背面側に延出し、さらに、前面側から見て右側に屈曲して光変調装置２１５Ｇの配設位置近傍まで延出する平面視略Ｌ字形状を有する。
【００３０】
ＰＢＳ側第１ダクト部７１２は、緑側第１ダクト部７１１における前面側から見て左側の側壁部分から、偏光変換素子２１２Ｃの配設位置近傍まで延出するように形成されている。
すなわち、緑側第１ダクト部７１１及びＰＢＳ側第１ダクト部７１２は、互いに連通するように形成されている。
【００３１】
赤青側第１ダクト部７１３は、ファン収納部７２における第２シロッコファン９４の吐出口（図示略）が位置付けられる背面側の側壁部分から、背面側に延出し、さらに、前面側から見て左側に屈曲して光変調装置２１５Ｂの配設位置近傍まで延出する平面視略Ｌ字形状を有する。
すなわち、赤青側第１ダクト部７１３及びファン収納部７２は、互いに連通するように形成されている。
以上説明した各ダクト部７１１〜７１３において、凹状に窪んだ底部分には、図４または図５に示すように、Ｒ，Ｇ，Ｂ色光側の各光変調装置２１５Ｒ，２１５Ｇ，２１５Ｂ及び偏光変換素子２１２Ｃの配設位置に対応した各位置に、内外を連通するＲ用連通孔７１Ｒ、Ｇ用連通孔７１Ｇ、Ｂ用連通孔７１Ｂ、及びＰＢＳ用連通孔７１Ｐがそれぞれ形成されている。
【００３２】
また、上述した第１ダクト７１（緑側第１ダクト部７１１）において、凹状に窪んだ底部分の外面には、図４または図５に示すように、光学ユニット２１を固定するための固定用ボス７１４が形成されている。
すなわち、具体的な図示は省略したが、光学ユニット２１は、光学部品用筐体２１７に形成された固定部にネジを挿通し、該ネジを固定用ボス７１４に螺合することで、中間筐体７の底面に固定されることとなる。
なお、上記では説明の便宜上、光学ユニット２１が固定される部位を固定用ボス７１４の１つのみ説明したが、中間筐体７には、固定用ボス７１４以外にも複数の固定部位が形成されているものである。
【００３３】
図９は、第２ダクト９５Ａの天面部４Ａ側を前面側から見た斜視図である。
第２ダクト９５Ａは、中間筐体７における再生装置３が配設される側の面（収納筐体１０の外面）に取り付けられ、第１ダクト７１と組み合わされることで、各シロッコファン９３，９４から吐出された空気を冷却対象に導く流路を形成する。
この第２ダクト９５Ａは、図９に示すように、天面部４Ａ側が開口した容器形状を有し、各ダクト部７１１〜７１３にそれぞれ対応した緑側第２ダクト部９５１、ＰＢＳ側第２ダクト部９５２、及び赤青側第２ダクト部９５３が一体的に形成されたものである。
すなわち、第２ダクト９５Ａが中間筐体７に取り付けられることで、各ダクト部７１１〜７１３の各開口部分が各ダクト部９５１〜９５３にてそれぞれ閉塞され、各シロッコファン９３，９４から吐出された空気を冷却対象に導く流路ＰＲＢ，ＰＧ，ＰＰ（図１０参照）が形成される。
また、緑側第２ダクト部９５１において、屈曲した部分には、図９に示すように、内部の流路ＰＧを辿って流通する空気の圧力損失を低減させるための整流板９５１Ａが形成されている。なお、赤青側第２ダクト部９５３にも、図９に示すように、同様の整流板９５３Ａが形成されている。
【００３４】
図１０は、送風ダクト９５内部での空気の流路を説明するための図である。
以上の構成により、冷却装置９は、以下に示すように、筐体４外部の空気を導入して冷却対象を冷却する。
すなわち、吸気口４１及びフィルター装置９１を介して吸気ダクト９２に導入された筐体４外部の空気Ａｒ１は、図８に示すように、整流板９２１により、第１シロッコファン９３側に流通する空気Ａｒ２、及びファン収納部７２側に流通する空気Ａｒ３に分流される。
空気Ａｒ２は、図８に示すように、吸気ダクト９２の流出孔（図示略）を介して第１シロッコファン９３に吸入され、吐出口９３Ａから吐出される。
第１シロッコファン９３から吐出された空気Ａｒ２は、図１０に示すように、各ダクト部７１１，９５１にて形成される流路ＰＧを辿って流通し、Ｇ用連通孔７１Ｇを介してＧ色光側の各光学部品２１５Ｇ，２１５Ｃ，２１５Ｄ等に送風される。
また、第１シロッコファン９３から吐出された空気の一部は、図１０に示すように、各ダクト部７１２，９５２にて形成される流路ＰＰを辿って流通し、ＰＢＳ用連通孔７１Ｐを介して偏光変換素子２１２Ｃに送風される。
【００３５】
一方、ファン収納部７２側に流通した空気Ａｒ３は、図１０に示すように、連通孔７２１を介して第２シロッコファン９４にて吸入され、第２シロッコファン９４の吐出口（図示略）から吐出される。
第２シロッコファン９４から吐出された空気Ａｒ３は、図１０に示すように、各ダクト部７１３，９５３にて形成される流路ＰＲＢを辿って流通し、一部の空気がＲ用連通孔７１Ｒを介してＲ色光側の各光学部品２１５Ｒ，２１５Ｃ，２１５Ｄ等に送風されるとともに、その他の空気がＢ用連通孔７１Ｂを介してＢ色光側の各光学部品２１５Ｂ，２１５Ｃ，２１５Ｄに送風される。
以上のように外部の空気が冷却対象に送風されることで、各光学部品２１５Ｒ，２１５Ｇ，２１５Ｂ，２１５Ｃ，２１５Ｄ，２１２Ｃが冷却されることとなる。
【００３６】
上述した本実施形態によれば、以下の効果がある。
本実施形態では、冷却装置９を構成する送風ダクト９５は、中間筐体７に一体形成された第１ダクト７１と、収納筐体１０外面（中間筐体７）に取り付けられ、第１ダクト７１とで流路ＰＲＢ，ＰＧ，ＰＰを形成する第２ダクト９５Ａとを備える。
このことにより、中間筐体７に第１ダクト７１が一体形成されているため、第１ダクト７１の外面に光学ユニット２１を固定するための固定用ボス７１４を形成した場合であっても、固定用ボスを中間筐体７に直接、形成した固定構造と同様の効果を持たせることができる。したがって、第１ダクト７１の外面に固定用ボス７１４を形成した場合であっても、第１ダクト７１にて光学ユニット２１を良好に支持でき、光学ユニット２１にがたつきが生じることを抑制して中間筐体７に対して光学ユニット２１を良好に固定できる。
【００３７】
また、中間筐体７に第１ダクト７１を一体形成することで第１ダクト７１に十分な強度を持たせることができるため、第１ダクト７１の肉厚を不要に大きくしなくてもよい。すなわち、プロジェクター１の重量を不要に大きくすることがない。
さらに、第１ダクト７１の外面に固定用ボス７１４を形成することが可能となるため、固定用ボス７１４により、流路ＰＲＢ，ＰＧ，ＰＰ（送風ダクト９５）の設計が制限されることもなく、所望の流路ＰＲＢ，ＰＧ，ＰＰを形成できる。
【００３８】
また、送風ダクト９５は、平面視で投射レンズ２１６を挟む２つの位置から背面側に延びるように形成されている。
このことにより、収納筐体１０内部において、デッドスペースになりやすい空間（平面視で投射レンズ２１６の側方の空間）に各シロッコファン９３，９４を配設して収納筐体１０内部の空間を有効に活用しながら、各シロッコファン９３，９４から吐出された空気を送風ダクト９５にて良好に冷却対象に導くことができる。
また、固定用ボス７１４が形成されやすい位置に流路ＰＲＢ，ＰＧ，ＰＰを形成した場合であっても、送風ダクト９５を上述した第１ダクト７１及び第２ダクト９５Ａで構成することで、上述したように所望の流路ＰＲＢ，ＰＧ，ＰＰを形成でき、かつ、中間筐体７に対して光学ユニット２１を良好に固定できる。
したがって、収納筐体１０内部の空間を有効に活用しながら、上述した所望の流路ＰＲＢ，ＰＧ，ＰＰを形成でき、かつ、中間筐体７に対して光学ユニット２１を良好に固定できるという効果を好適に図れる。
【００３９】
また、中間筐体７には、第１ダクト７１に連通するファン収納部７２が形成されている。すなわち、第２シロッコファン９４から吐出された空気は、ファン収納部７２内部から送風ダクト９５内部に流通することとなる。このため、第２シロッコファン９４から吐出された空気の略全てを漏れることなく送風ダクト９５内部に流通させることができ、Ｒ，Ｂ色光側の各光学部品２１５Ｒ，２１５Ｂ，２１５Ｃ，２１５Ｄの冷却効率を向上させることができる。
【００４０】
なお、本発明は前述の実施形態に限定されるものではなく、本発明の目的を達成できる範囲での変形、改良等は本発明に含まれるものである。
前記実施形態では、冷却対象として、Ｒ，Ｇ，Ｂ色光側の各光学部品２１５Ｒ，２１５Ｇ，２１５Ｂ，２１５Ｃ，２１５Ｄ、及び偏光変換素子２１２Ｃとしていたが、これに限らない。例えば、冷却対象として、光源装置２１１、電源ユニット２２、制御装置２３、あるいは、ディスクドライブ３１等を採用しても構わない。
【００４１】
前記実施形態において、下側外装筐体６や再生装置３を省略した構成としても構わない。すなわち、中間筐体７がプロジェクター１の外装の一部を構成する（底面部４Ｂ等を構成する）ように形成しても構わない。
前記実施形態において、第１ダクト７１は、中間筐体７に形成されていたが、これに限らず、収納筐体１０に形成されていれば、いずれの位置に形成してもよく、例えば、上側外装筐体５に形成しても構わない。
前記実施形態では、冷却ファンとして、シロッコファン９３，９４の２つを設けていたが、これに限らず、１つ、あるいは、３つ以上、設けても構わない。
また、各シロッコファン９３，９４は、各ファン回転軸が水平方向及び鉛直方向にそれぞれ沿うように配設されていたが、これに限らず、例えば、各ファン回転軸の双方が水平方向にそれぞれ沿うように配設された構成としても構わない。
【００４２】
前記実施形態において、プロジェクター１は、３つの光変調装置２１５Ｒ，２１５Ｇ，２１５Ｂを備える構成としたが、本発明はこれに限らない。すなわち、２つ以下、あるいは、４つ以上の光変調装置を用いたプロジェクターにも、本発明を適用可能である。
前記実施形態において、光変調装置としては、透過型の液晶パネルの他、反射型の液晶パネルを採用しても構わない。また、光束を画像情報に応じて変調して画像を形成する光変調装置であれば、マイクロミラーを用いたデバイスなど、液晶以外の光変調装置を用いたプロジェクターにも、本発明を適用可能である。このような光変調装置を用いた場合には、各偏光板２１５Ｃ，２１５Ｄは省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００４３】
本発明のプロジェクターは、プレゼンテーションやホームシアターに用いられるプロジェクターとして利用できる。
【符号の説明】
【００４４】
１・・・プロジェクター、９・・・冷却装置、１０・・・収納筐体、２１・・・光学ユニット（画像投射装置）、７１・・・第１ダクト、７２・・・ファン収納部、９３，９４・・・シロッコファン（冷却ファン）、９５・・・送風ダクト、９５Ａ・・・第２ダクト、２１１・・・光源装置、２１５Ｒ，２１５Ｇ，２１５Ｂ・・・光変調装置、２１６・・・投射レンズ（投射光学装置）、ＰＲＢ，ＰＧ，ＰＰ・・・流路。
【図１】
2010250141.tif 000003
【図２】
2010250141.tif 000004
【図３】
2010250141.tif 000005
【図４】
2010250141.tif 000006
【図５】
2010250141.tif 000007
【図６】
2010250141.tif 000008
【図７】
2010250141.tif 000009
【図８】
2010250141.tif 000010
【図９】
2010250141.tif 000011
【図１０】
2010250141.tif 000012